(57)【要約】      （修正有）【課題】ハードディスクに内蔵できる簡便な仕組みでハードディスクの読み取りを不能にする。【解決手段】ハードディスクの内部に組み込んだ読み取り防止装置であって、スイングアームの長手方向に設置した１個または２個以上のＳＣＢ８と、外部からの信号によりＳＣＢを作動させる作動回路１０と、ＳＣＢと作動回路を電気的に接続する電気回路１３からなり、作動回路は外部から作動信号を受けると、その信号を電気回路を通じてＳＣＢに通電してＳＣＢを発火させ、ＳＣＢから磁気ディスクの表面に向けて火炎を放射する。【選択図】図２
2009093727.tif 000002
【特許請求の範囲】
【請求項１】
ハードディスクの内部に組み込んだ読み取り防止装置であって、スイングアームの長手方向に設置した１個または２個以上のＳＣＢと、外部からの信号により該ＳＣＢを作動させる作動回路と、該ＳＣＢと作動回路を電気的に接続する電気回路からなり、該作動回路において、外部から作動信号を受けると、その信号を電気回路を通じてＳＣＢに通電して該ＳＣＢを発火させ、該ＳＣＢから磁気ディスクの表面に向けて火炎を放射することを特徴とするハードディスクの読み取り防止装置。
【請求項２】
前記ＳＣＢが、その表面に、熱により煙状に粒子化する物質をそなえることを特徴とするハードディスクの読み取り防止装置。
【発明の詳細な説明】
【技術分野】
【０００１】
本発明は、ハードディスクの読み取り防止装置に関し、特に迅速かつ簡便にハードディスクの読み取りを不可能ならしめようとするものである。
【背景技術】
【０００２】
近年におけるコンピュータの進歩はめざましいものがあり、処理速度やハードディスクの容量を向上させたものが次々に開発、提供されている。
それに伴い、廃棄されるハードディスクの量も増大している。
ハードディスクを廃棄する場合、その内部に記録されたデータの漏洩・流出が起きないように、廃棄に際してはデータを確実に消去するか、データの読み取りを不可能にする必要がある。
【０００３】
データの読み取りを不可能にするものとして、例えば特許文献１および特許文献２の開示の技術が提案されている。
特許文献１の技術は、不法にハードディスクを入手しようと筐体を開けた場合に、記録面に傷を付けたり、磁石を近づけたり、ヒータ等で加熱したりして、記録面を破壊する方法、および暗号／復号化回路に過電流を印加して電子回路を破壊する方法である。
しかしながら、この方法では、以下に述べるような問題があった。
(1) 記録面に傷を付ける方法の場合、傷をつけるための装置をハードディスクに組み込む必要があるので、ハードディスクの構造が複雑化、大型化し、コストも上昇する。
(2) 記録面に磁石を近づける方法の場合、ハードディスクが正常な記録ができない恐れがあり、また近づけるための装置が必要なので、ハードディスクの構造が複雑化、大型化し、コストも上昇する。
(3) 記録面をヒータ等で加熱する方法の場合、熱を加えるための装置及び電源を組みこむ必要があるので、ハードディスクの構造が複雑化、大型化し、コストも上昇する。
(4) 暗号／復号化回路に過電流を印加する方法の場合、記録を完全に破壊するのは難しいので、データの漏洩、流出の恐れがある。
【０００４】
また、特許文献２の技術は、ハードディスクをピストンロッドやドリル等で物理的に破壊する方法である。
しかしながら、この方法は、専用の装置、場所が必要であることから、ハードディスクを迅速かつ簡便に読み取り不可能にすることは難しいという問題を残していた。
【０００５】
【特許文献１】特開2004−55020号公報
【特許文献２】特開2004−71057号公報
【発明の開示】
【発明が解決しようとする課題】
【０００６】
本発明は、上記の現状に鑑み開発されたもので、ハードディスクに内蔵できる簡便な仕組みでハードディスクの読み取りを完全に防止することができるハードディスクの読み取り防止装置を提案することを目的とする。
【課題を解決するための手段】
【０００７】
さて、発明者らは、上記の問題を解決すべく鋭意研究を重ねた結果、出願人会社において長年開発を続けているスクイブ技術の利用に想い至った。
すなわち、エアバッグ等の自動車の安全装置に使用されるガス発生器等に搭載される発火装置としてのスクイブは、点火素子としてＳＣＢ（Semiconductor Bridge）が開発されたこともあって、年々、小型化、精密化が進んでいる。
このＳＣＢは、スクイブ内の点火薬を発火させるために、外部からの信号に応じて、点火薬に火炎を放射するものである。
【０００８】
そこで、発明者らは、ハードディスクの記録面を汚染してハードディスクの読み取りを不可能にする手段として、ＳＣＢの火炎の使用を試みたところ、所期した目的の達成に関し、望外の成果を得たのである。
本発明は上記の知見に立脚するものである。
【０００９】
すなわち、本発明の要旨構成は次のとおりである。
１．ハードディスクの内部に組み込んだ読み取り防止装置であって、スイングアームの長手方向に設置した１個または２個以上のＳＣＢと、外部からの信号により該ＳＣＢを作動させる作動回路と、該ＳＣＢと作動回路を電気的に接続する電気回路からなり、該作動回路において、外部から作動信号を受けると、その信号を電気回路を通じてＳＣＢに通電して該ＳＣＢを発火させ、該ＳＣＢから磁気ディスクの表面に向けて火炎を放射することを特徴とするハードディスクの読み取り防止装置。
【００１０】
２．前記ＳＣＢが、その表面に、熱により煙状に粒子化する物質をそなえることを特徴とするハードディスクの読み取り防止装置。
【発明の効果】
【００１１】
本発明によれば、ハードディスクに内蔵できる簡便な仕組みで、迅速かつ確実にハードディスクの読み取りを防止することができる。
【発明を実施するための最良の形態】
【００１２】
以下、本発明を具体的に説明する。
図１に、本発明で対象とするハードディスクの概要を示す。図中、符号１は筐体、２はアクチュエータ（位置決め装置）、３はスイングアーム、４は磁気ヘッド、５は磁気ディスク、６はスピンドルモータ、そして７が電源である。
【００１３】
本発明では、上記の構造になるハードディスクの内部に、ＳＣＢと、外部からの信号によりＳＣＢを作動させる作動回路と、ＳＣＢと作動回路を電気的に接続するための電気回路を組み込む。
図２に、これらを組み込んだ例を示す。図中、番号８がＳＣＢであり、このＳＣＢ８は磁気ディスク５の表面に対して平行になるように設置されている。また、９がハードディスクの制御回路であり、この制御回路９は、ＳＣＢの作動回路10、コンデンサ11および電源12をそなえている。そして、ＳＣＢ８とＳＣＢの作動回路10とは、電気回路13によって電気的に接続されている。
なお、図２では、ＳＣＢ８をスイングアーム３に対して等間隔で３個取り付けた場合について示したが、ＳＣＢ８の取り付け個数については特に制限はなく、ＳＣＢの発火により、磁気ディスク５の径方向をまんべんなく汚染することができれば、１個であっても２個あるいはそれ以上であってもよい。
【００１４】
また、ＳＣＢの作動回路10は、作動命令を受ける機能と、ＳＣＢ８を作動させるスイッチ機能を有している。
図３に、この作動回路の基本回路例を示す。図中、符号14はスイッチ１、15はスイッチ２である。
さて、作動回路10で、外部から作動命令を受けると、磁気ディスク５が駆動されると共に、スイングアーム３は、図４(a)に示す退避位置から、図４(b)に示す作動位置まで移動する。ついで、スイッチ１（14）がオンとなり、コンデンサ11が充電を開始する。コンデンサ11の充電が完了する（約10秒）と、スイッチ２（15）がオンとなり、ＳＣＢ８が作動する。すなわち、ＳＣＢ８が発火し、磁気ディスク５の表面に向けて火炎が放射される。その後、スイングアーム３は元の退避位置に戻る。この際、後述するように、磁気ディスク５の表面に付着した汚染粒子が磁気ディスクのトラックにこすり付けられる。
かくして、磁気ディスクの表面は汚染され、その後の読み取りが不能になるのである。
【００１５】
本発明において、ＳＣＢとしては、発火時に磁気ディスクの表面に火炎を放射して、換言すれば磁気ディスクの表面に熱粒子を衝突させて、読み取りを不能にするものであればいずれでもよい。
また、ＳＣＢのブリッジ上に熱で煙状の物質を放出するものを配置し、発火時に磁気ディスクの表面に煙状の物質を付着させて読み取りを不能にする手段を併用することはさらに有利である。
上記のような熱で煙状の物質を放出するものとしては、Al，Mg，AlMg合金、Ｂ，Si，Sb，ＰおよびＣなどが挙げられる。また、Ｃ含有率の高い有機化合物も適合する。
【００１６】
ＳＣＢを発火させた場合、熱粒子の散布角度は約120°である。従って、図５に示すように、磁気ディスクとＳＣＢの間隔をｈとするとき、熱粒子の散布範囲Ｌは次式で示される。
Ｌ＝3.5×ｈ
例えば、2.5インチ（直径：6.4cm）のハードディスクを例にとると、ディスク半径は32mmであるので、磁気ディスクとＳＣＢの間隔がｈ＝２mmの場合、熱粒子の散布範囲Ｌは
Ｌ＝3.5×２＝７mm
となる。
従って、上記のような場合におけるＳＣＢの設置個数を考慮すると、磁気ディスクの中心部はモータに固定されていてＳＣＢの設置は必要ないので、少なくとも４個のＳＣＢを等間隔で設置（散布範囲Ｌ＝28mm）すれば、磁気ディスク面上の全てのトラックに対して少なくとも１ヶ所、汚染粒子を衝突または付着させることができる。
【００１７】
また、汚染粒子の粒径は、通常数百nmで、磁気ヘッドとトラック面との間隔（通常10nm程度）より大きいため、粒子散布後、磁気ディスク回転中に磁気ヘッドをゆっくり退避位置に移動させれば、汚染粒子が磁気ヘッドとトラック面との間に挟まり、トラック面を傷付けるため、より確実に読み取りを不可能にすることができる。
【００１８】
図６に、本発明に用いて好適なＳＣＢの代表例を図解する。図中、番号16がＳＣＢ、17がその表面に設けられた電極パッド、18が基板であり、これらでＳＣＢチップを構成する。ＳＣＢは、同図(c)に拡大して示したとおり、導電体（例えばTi，Ｂ）と絶縁体（例えばSiO2）が交互に積層された構造になっており、また同図(a)からも明らかなように、その中心部に電流路を狭くしたブリッジ19をそなえている。従って、このＳＣＢを作動させた場合には、ブリッジ19から火炎が放射されることになる。
ここに、ＳＣＢにおけるブリッジ幅は10〜100μm 程度とするのが好ましい。
また、コンデンサの容量は、ＳＣＢ１個に対して２〜50μＦ程度の容量をそなえていることが好ましい。
さらに、電源は５〜25Ｖ程度とするのが好ましい。
そして、コンデンサ容量と充電電圧の関係は、ＳＣＢ１個当たりの容量が50μＪ以上であれば、上記の範囲から任意の組み合わせが可能である。
【００１９】
また、本発明において、作動信号を送る方法としては、専用の電子キーを用いる方法、ＯＳ上で操作する方法、パスワードやＩＤをキーボード入力する方法、無線により遠隔操作する方法および専用のスイッチやネジをハードディスクに設ける方法など、いずれもが有利に適合する。
【図面の簡単な説明】
【００２０】
【図１】本発明で対象とするハードディスクの概要を示した図である。
【図２】本発明に係るＳＣＢと、作動回路と、電気回路を組み込んだハードディスクの概要を示した図である。
【図３】作動回路の基本回路例を示した図である。
【図４】スイングアームの退避位置(a)および作動位置(b)を示した図である。
【図５】ＳＣＢを発火させたときの熱粒子の散布状況を示した図である。
【図６】本発明に用いて好適なＳＣＢを示した図である。
【符号の説明】
【００２１】
１  筐体
２  アクチュエータ（位置決め装置）
３  スイングアーム
４  磁気ヘッド
５  磁気ディスク
６  スピンドルモータ
７  電源
８  ＳＣＢ
９  ハードディスクの制御回路
10  ＳＣＢの作動回路
11  コンデンサ
12  電源
13  電気回路
14  スイッチ１
15  スイッチ２
16  ＳＣＢ
17  電極パッド
18  基板
19  ブリッジ
【図１】
2009093727.tif 000003
【図２】
2009093727.tif 000004
【図３】
2009093727.tif 000005
【図４】
2009093727.tif 000006
【図５】
2009093727.tif 000007
【図６】
2009093727.tif 000008